(57)【特許請求の範囲】
【請求項１】
扉の開放側端面部に設けられたガードアームに対設させるガードアーム受けであること；扉にはドアクローザを付設させること；ガードアーム受けの表面板にはガードアームの係合突起が係脱される受け孔とそれに連続する案内長孔とが設けてあること；案内長孔の終端部付近でガードアームの係合突起を選択的に係止保持させるために、先端側に係止部を有するセットレバーをガードアーム受けの内側に枢支すること；ガードアーム受けの内側でセットレバーの基端部に対向して摺動可能に第１摺動部材を設けること；第１摺動部材内でその第１摺動部材と同方向に摺動可能に第２摺動部材を設け、その前方側にはセットレバーの基端部に当接する押圧部を有すること；第１摺動部材は後方に向け付勢させると共に、第２摺動部材は、前方に向け付勢させること；第１摺動部材が前方位置又は後方位置を占めることができるように、第１摺動部材の前後の位置を制御できる揺動可能なストッパをガードアーム受けの内側に枢支すること；前記のストッパは第１摺動部材に係合させる方向に付勢させること；第１摺動部材に対するストッパの係合を解除させるため、建物内に設けた煙感知器からの信号により作動させるようにした電磁アクチュエータをガードアーム受けの内側に設けること；及び、電磁アクチュエータのプランジャを前記ストッパに連係させることを構成条件とする煙感知器連動型ガードアーム受け。
【請求項２】
第１摺動部材にガードアーム受けの表面板から外部へ露出させたつまみを設けたことを特徴とする請求項１記載の煙感知器連動型ガードアーム受け。
【発明の詳細な説明】
【０００１】
【産業上の利用分野】
この発明は、扉の開放角度を制限するガードアーム装置における煙感知器連動型のガードアーム受けに関する。
【０００２】
【従来の技術】
ガードアームが作動されて扉が開放された時、その扉を最大開放角度付近で開放状態に保持させるようにしたガードアーム装置におけるガードアーム受け（受座）は、例えば、実開平２−１０５４７２号公報等に開示され公知である。
【０００３】
このような従来のガードアーム受けは、ガードアームと相俟って扉を開放状態に保持できるので、部屋内外の通気あるいは外来者の応対の際に便利であり、防犯上安全であるという利点がある。
【０００４】
【発明が解決しようとする課題】
しかしながら、前記のようなガードアーム受けによれば、ガードアームにより扉が開放状態に保持されている際に、火災が発生して扉が開放されたままにされていると、延焼や有毒ガスの流動等の問題があって危険である。
【０００５】
この発明の煙感知器連動型ガードアーム受けは、火災の煙が煙探知機により感知されたときは、ガードアームにより開放状態に係止保持されている扉を、その扉に付設されたクローザの付勢力を利用して閉鎖できるようにすることを目的として提案されたものである。
【０００６】
【課題を解決するための手段】
上記の目的を達成するため、この発明に係る請求項１のガードアーム受けは、扉の開放側端面部に設けられたガードアームに対設させるガードアーム受けであること；扉にはドアクローザを付設させること；ガードアーム受けの表面板にはガードアームの係合突起が係脱される受け孔とそれに連続する案内長孔とが設けてあること；案内長孔の終端部付近でガードアームの係合突起を選択的に係止保持させるために、先端側に係止部を有するセットレバーをガードアーム受けの内側に枢支すること；ガードアーム受けの内側でセットレバーの基端部に対向して摺動可能に第１摺動部材を設けること；第１摺動部材内でその第１摺動部材と同方向に摺動可能に第２摺動部材を設け、その前方側にはセットレバーの基端部に当接する押圧部を有すること；第１摺動部材は後方に向け付勢させると共に、第２摺動部材は、前方に向け付勢させること；第１摺動部材が前方位置又は後方位置を占めることができるように、第１摺動部材の前後の位置を制御できる揺動可能なストッパをガードアーム受けの内側に枢支すること；前記のストッパは第１摺動部材に係合させる方向に付勢させること；第１摺動部材に対するストッパの係合を解除させるため、建物内に設けた煙感知器からの信号により作動させるようにした電磁アクチュエータをガードアーム受けの内側に設けること；及び、電磁アクチュエータのプランジャを前記ストッパに連係させることを構成条件とする。
【０００７】
また、請求項２の発明は、前記の構成条件に、第１摺動部材にガードアーム受けの表面板から外部へ露出させたつまみを設けたことを付加させたものである。
【０００８】
【作用】
図１〜図３は、この発明に係るガードアーム受けが、ガードアーム１０を介して扉を半開きで拘束保持させている状態を示しており、ガードアーム１０の係合突起２０は表面板１１における案内長孔１５の終端部に至り、セットレバー２の先端部で係止保持されている。
【０００９】
この際、セットレバー２の基端側は、ストッパ５で係止され前方位置（図１、図３で左方位置）を占める第１摺動部材４内において、前方に付勢されている第２摺動部材８の押圧部８２に押されており、セットレバー２の先端側係止部２２がガードアーム１０の係合突起２０を係止している。
【００１０】
このガードアーム作動状態で、扉を手で押し又は引けば、図４及び図５に示すように、ガードアーム１０の係合突起２０は、揺動するセットレバー２を介して第２摺動部材８を第１摺動部材４を基準とする付勢力に抗して押し込むことができるので、扉の係止保持は自由に解くことができ、また、逆に扉を開放すれば半開き状態に拘束させることもできる。
【００１１】
図１〜図３に示された状態で、煙感知器（図示しない）が火災の煙を感知すると、図６及び図７に示すように、その信号を受けた電磁アクチュエータ６が没入方向に作動して、そのプランジャ６１が連係されたストッパ５をその付勢力に抗して図６で右回りに揺動させるので、ストッパ５と第１摺動部材４との係合が解除される。
【００１２】
そして、第１摺動部材４は、それに付与された付勢力により第２摺動部材８と共に後方（図３で右方）の位置に移動するので、図６及び図７に示すように、第２摺動部材８の押圧部８２によって拘束されていたセットレバー２の基端部が解放され、同時に、セットレバー２の先端側係止部２２とガードアーム１０の係合突起２０との係合が解かれる。すなわち、セットレバー２の揺動が許容されたことになる。
【００１３】
ここに、図示しないドアクローザによって閉鎖方向に付勢されている扉は、ガードアーム１０を収納位置に折り畳みつつ閉鎖されることになる。
【００１４】
なお、電磁アクチュエータ６に対する通電が断たれた際、後方位置に存する第１摺動部材４は、適当な工具又はつまみ４２をもって手動で図６及び図７の位置から左方の前方位置に戻せば、ストッパ５は図１の状態に復帰しているので、第１摺動部材４、第２摺動部材８及びセットレバー２等の各部材はいずれも当初の位置に復帰する。
【００１５】
【実施例】
以下、図面に示す実施例に基いてこの発明について説明する。
図１〜図３において、符号１０は図示しない扉の開放側端面部に設けられたガードアームで、ガードアーム１０の基端はほぼ水平な枢軸で支承され、先端部にはフランジ及び軸部から成る係合突起２０を有する。
【００１６】
一般的には、ガードアーム１０は扉の錠装置におけるサムターンの操作により扉のフロント板より突出入される。
【００１７】
前記のガードアーム１０に対向して設けられるガードアーム受け１は、裏板１２を含む表面板１１及びそれに固設された枠箱１３から成り、扉枠３０又は両開き扉の他方の扉にねじ９１等で固設される。
【００１８】
そして、ガードアーム受け１の表面板１１には、ガードアーム１０の係合突起２０が係脱される受け孔１４とそれに連続する案内長孔１５とが形成されている。
【００１９】
また、ガードアーム１０が装着される扉にはドアクローザ（図示しない）を要する。ドアクローザは当然のことながらその扉を閉鎖方向に付勢させるものである。図１で符号１７はデッドボルトの係入孔を示す。
【００２０】
前述の構成は従来周知である。以下にこの発明の要部について説明する。
図１〜図３において、符号２は、ガードアーム受け１の内側に水平な枢軸２１をもって揺動可能に枢支されたセットレバーで、２２はセットレバー２の先端に縦断面Ｖ字状に屈曲させて設けた係止部、２３はセットレバー２の中央部両側に設けた支持片である。
【００２１】
前記のセットレバー２は、ガードアーム受け１における案内長孔１５の終端部付近でガードアーム１０の係合突起２０を選択的に係止保持させるためのものである。
【００２２】
ガードアーム受け１の内側において、セットレバー２の基端部に対向させた位置には、２つの中空部を有する箱状の第１摺動部材４を水平方向に摺動可能に設ける。
【００２３】
第１摺動部材４は枠箱１３に固定したガイドブロック４１及び表面板１１に設けた貫通孔１６を利して摺動案内される。
【００２４】
第１摺動部材４には、それが後方位置に至った後、前方位置に復帰させるために、手指で掴むことができるようにしたつまみ４２が一体に設けてあり、そのつまみ４２は貫通孔１６から外部へ露出させてある。
【００２５】
つまみ４２と貫通孔１６との嵌まり合いは、第１摺動部材４の摺動における案内手段の役割を果たす。
【００２６】
第１摺動部材４の一方の中空部には、圧縮ばね等の押しばね４３が装着してある。その押しばね４３は、枠箱１３に固定されたガイドブロック４１と第１摺動部材４との間に圧縮状態で嵌め込まれていて、第１摺動部材４を後方（図１及び図３で右方）に向け付勢されている。
【００２７】
第１摺動部材４の他方の中空部には、後方を開口した縦断面コ字状の第２摺動部材８及び圧縮ばね等の戻しばね８１が装着してある。
【００２８】
符号４４は第２摺動部材８及び戻しばね８１を第１摺動部材４内に封ずる底板で、第１摺動部材４の後面に固設してある。
【００２９】
そして、前記の第２摺動部材８は第１摺動部材４内で摺動可能であり、後方の戻しばね８１により前方に向け付勢させてある。
【００３０】
常態では、後述のストッパ５との係合により前方位置を占める第１摺動部材４に対し、第２摺動部材８も前方位置を占め、第２摺動部材８の前方に一体に設けられた押圧部８２がセットレバー２の基端部を押し付けて、そのセットレバー２の先端側の係止部２２でガードアーム１０の係合突起２０を選択的に係止保持させる。
【００３１】
図示例の押圧部８２は半球状の突部として形成してあり、第１摺動部材４の前面部に設けた丸孔４５に対し出没可能とされている。
【００３２】
符号５は、ガードアーム受け１内に水平な枢軸５１で揺動可能に枢支されたストッパで、実施例では１枚の板材を適当に折り曲げて形成してある。
【００３３】
符号５２はストッパ５に設けられた転子で、前記の第１摺動部材４に設けた係合部４６との間の係脱作動を円滑にするためのものである。
【００３４】
前記のストッパ５は、セットレバー２がガードアーム１０の係合突起２０に対する係止可能位置又は解除位置を占めることができるように第１摺動部材４の位置を制御するもので、ストッパ５の第１摺動部材４に対する係合又は非係合の別により、その第１摺動部材４は前方位置又は後方位置を占めることができるようにされている。
【００３５】
そのストッパ５はねじりばね等の復帰ばね５３を備えており、図１で左回りに付勢させてある。
【００３６】
符号６は、ガードアーム受け１の枠箱１３内に設けた電磁アクチュエータで、通電時にはそのプランジャ６１が復帰用の戻しばね６２に抗して引き込まれ、非通電時にはプランジャ６１が原位置に復帰するようにしてある。
【００３７】
電磁アクチュエータ６のプランジャ６１は、ばね止めを兼ねる作用片６３を介して上記のストッパ５に連係してあり、該電磁アクチュエータ６は、建物内に設けた煙感知器（図示しない）からの信号により通電されて作動し、第１摺動部材４に対するストッパ５の係合を解除する。
【００３８】
【発明の効果】
以上に説明したこの発明の煙感知器連動型ガードアーム受けによれば、通気の目的でガードアームにより扉が半開き状態に保持されていても、火災に際してはその煙を煙感知器により感知して、電磁アクチュエータの通電作動により係止状態にあるガードアームを自動的に解除して扉を閉鎖させることを可能にするので、延焼や有毒ガスの流動を防止し、安全性を高めるに極めて有利である。
【図面の簡単な説明】
【図１】この発明の煙感知器連動型ガードアーム受けの実施例を、ガードアームにより扉を半開き位置に保持させた状態において、一部を切り欠いて示す部分正面図。
【図２】その縦断部分側面図。
【図３】図１のＩＩＩ−ＩＩＩ線による拡大断面図。
【図４】扉を手動で閉めている過程を示す図１の実施例における要部の拡大部分縦断側面図。
【図５】図４のＶ−Ｖ線による断面図。
【図６】非常時電磁アクチュエータの作動で扉を自動的に閉めている過程を示す図１の実施例における要部の拡大部分縦断側面図。
【図７】図６のＶＩＩ−ＶＩＩ線による断面図。
【符号の説明】
１０  ガードアーム
２０  係合突起
１  ガードアーム受け
１１  表面板
１４  受け孔
１５  案内長孔
２  セットレバー
２２  係止部
４  第１摺動部材
４２  つまみ
５  ストッパ
６  電磁アクチュエータ
６１  プランジャ
８  第２摺動部材
８２  押圧部
【図１】
0003723605.tif 000002
【図２】
0003723605.tif 000003
【図３】
0003723605.tif 000004
【図４】
0003723605.tif 000005
【図５】
0003723605.tif 000006
【図６】
0003723605.tif 000007
【図７】
0003723605.tif 000008